(57)【特許請求の範囲】
【請求項１】
湯水を貯湯する貯湯タンクと、該貯湯タンク下部に接続され前記貯湯タンク内に上水を供給する給水管と、前記貯湯タンク上部に接続され高温の湯を取り出す出湯管と、前記給水管に設けられ給水圧を減圧する減圧弁と、該減圧弁より下流側で前記給水管から分岐した給水バイパス管と、前記出湯管からの高温の湯と前記給水バイパス管からの上水とを混合する混合弁と、該混合弁で混合された湯を供給する給湯管と、該給湯管が接続されると共に、減圧弁より上流側で給水管から分岐した混合栓給水管が接続され、給湯管から供給される湯と混合栓給水管から供給される上水を混合して給湯することができる混合栓と、前記給湯管に設けられ前記給湯管内の水流を検知する水流検知手段と、前記混合弁で混合後の給湯温度を検出する給湯温度検出手段と、前記給湯管または前記給湯管と連通する前記混合栓内の湯側流路に設けられ、給湯の流れと逆方向の流れを遮断する給湯逆止弁と、前記給湯温度検出手段で検出される給湯温度が給湯設定温度になるように混合弁の開度のフィードバック制御を行う貯湯制御部とを備えた貯湯式給湯装置において、前記水流検知手段が水流を検知すると、前記貯湯制御部は、前記混合弁のフィードバック制御を行い、前記フィードバック制御中に、前記給湯温度検出手段で検出される給湯温度が所定時間継続して前記給湯設定温度より低い場合は、エラー報知するようにしたことを特徴とする貯湯式給湯装置。
【請求項２】
前記貯湯制御部は、前記フィードバック制御中に、前記給湯温度検出手段で検出される給湯温度が所定時間継続して前記給湯設定温度より低い場合は、前記混合弁を強制的に駆動させて前記混合弁の固着確認を行い、前記混合弁が固着していないと判断した場合は、前記給湯逆止弁が故障したと判定するようにしたことを特徴とする請求項１記載の貯湯式給湯装置。
【請求項３】
湯水を貯湯する貯湯タンクと、該貯湯タンク下部に接続され前記貯湯タンク内に上水を供給する給水管と、前記貯湯タンク上部に接続され高温の湯を取り出す出湯管と、前記給水管に設けられ給水圧を減圧する減圧弁と、該減圧弁より下流側で前記給水管から分岐した給水バイパス管と、前記出湯管からの高温の湯と前記給水バイパス管からの上水とを混合する混合弁と、該混合弁で混合された湯を供給する給湯管と、該給湯管が接続されると共に、減圧弁より上流側で給水管から分岐した混合栓給水管が接続され、給湯管から供給される湯と混合栓給水管から供給される上水を混合して給湯することができる混合栓と、前記給湯管に設けられ前記給湯管内の水流及び水流の方向を検知する逆流検知機能付水流検知手段と、前記給湯管または前記給湯管と連通する前記混合栓内の湯側流路に設けられ、給湯の流れと逆方向の流れを遮断する給湯逆止弁とを備えた貯湯式給湯装置において、前記逆流検知機能付水流検知手段が所定時間継続して逆流を検知した場合は、前記給湯逆止弁が故障したと判定し、エラー報知するようにしたことを特徴とする貯湯式給湯装置。
【請求項４】
前記貯湯制御部が前記給湯逆止弁の故障と判定した場合は、前記混合弁の開度を湯側全開にするようにしたことを特徴とする請求項１から３の何れか一項に記載の貯湯式給湯装置。
【発明の詳細な説明】
【技術分野】
【０００１】
この発明は、給湯経路に設けられた給湯逆止弁の故障を判定する機能を備えた貯湯式給湯装置に関するものである。
【背景技術】
【０００２】
従来のこの種の貯湯式給湯装置においては、図３に示すように、湯水を貯湯する貯湯タンク１０１と、貯湯タンク１０１内の湯水を加熱する加熱手段１０２と、貯湯タンク１０１の下部に接続され貯湯タンク１０１に上水を供給する給水管１０３と、給水管１０３に設けられ給水の圧力を減圧する減圧弁１０４と、貯湯タンク１０１の上部に接続された出湯管１０５と、貯湯タンク１０１の上部に設けられ貯湯タンク１０１内の過圧を逃がす過圧逃がし弁１０６と、減圧弁１０４より下流側で給水管１０３から分岐した給水バイパス管１０７と、出湯管１０５からの湯と給水バイパス管１０７からの上水を混合して給湯設定温度の湯とする混合弁１０８と、混合弁１０８で混合された設定温度の温水を台所や洗面所等に設けられた混合栓１０９に供給する給湯管１１０と、減圧弁１０４より上流側で給水管１０３から分岐し混合栓１０９に上水を供給する混合栓給水管１１１と、給湯管１１０途中に設けられ給湯管１１０内の水流を検知する給湯流量センサ１１２と、混合弁１０８で混合後の給湯温度を検出する給湯温度センサ１１３とを備え、そして、給湯管１１０（または混合栓１０９内の湯側流路）に給湯の流れと逆方向の流れを遮断する給湯逆止弁１１４を設けて、貯湯タンク１０１側への逆流を防止するものがあった（例えば、特許文献１参照。）。
【先行技術文献】
【特許文献】
【０００３】
【特許文献１】特開２０１０−１３３６１９号公報
【発明の概要】
【発明が解決しようとする課題】
【０００４】
ところで、従来の貯湯式給湯装置において、給湯逆止弁１１４が異物を噛み込んだり、給湯逆止弁１１４の弁体の破損等によって逆流防止機能が働かなくなる状態となることがあり、その時に、混合栓１０９が開栓され、給湯管１１０からの湯と混合栓給水管１１１からの上水を混合しながら給湯しようとした場合、減圧されていない混合栓給水管１１１からの上水の給水圧が給湯管１１０からの湯の給湯圧よりも高いため、上水が給湯管１１０側に逆流するという現象が生じる。
【０００５】
そうすると、給湯管１１０を逆流する上水は、混合弁１０８、出湯管１０５を通過し、過圧逃がし弁１０６から排出され、混合弁１０８の開度によっては、給湯管１１０を逆流する上水の一部が給水バイパス管１０７側に回り込んで貯湯タンク１０１下部から流入し、貯湯タンク１０１内の湯が押し出されて過圧逃がし弁１０６から排出されてしまう場合もある。
【０００６】
しかし、給湯管１１０に設けられた給湯流量センサ１１２は給湯管１１０内の水流を検知するだけであり、逆流現象が生じている時、通常の給湯による水流を検知しているのか、それとも逆流による水流を検知しているかは判断することができない。また、混合栓１０９からは上水のみが給湯され、ユーザは不審に思うものの、この状態ではエラー報知することなく、給湯逆止弁１１４の故障を検知して報知することがなかった。
【０００７】
また、混合栓１０９として、給湯温度が設定できるハンドルを備え、そのハンドルで温度を設定すると、湯温の変化に応じて内部のエレメントが伸縮してバルブが動き湯と水の量を調節するようなサーモスタット混合栓が用いられた場合、サーモスタット混合栓１０９の内部は常時、湯側流路と水側流路とが連通しており、給湯逆止弁１１４の逆流防止機能が働かなくなると、サーモスタット混合栓１０９が閉栓状態でも、前記逆流現象が生じることがあるが、サーモスタット混合栓１０９が閉栓状態の場合、給湯逆止弁１１４の故障を検知して報知する手段がないと、ユーザは異常が発生していることを全く認識することができず、湯水が過圧逃がし弁１０６から無駄に排出され続けてしまうという問題があった。
【課題を解決するための手段】
【０００８】
そこで、この発明は上記課題を解決するために、特に請求項１ではその構成を、湯水を貯湯する貯湯タンクと、該貯湯タンク下部に接続され前記貯湯タンク内に上水を供給する給水管と、前記貯湯タンク上部に接続され高温の湯を取り出す出湯管と、前記給水管に設けられ給水圧を減圧する減圧弁と、該減圧弁より下流側で前記給水管から分岐した給水バイパス管と、前記出湯管からの高温の湯と前記給水バイパス管からの上水とを混合する混合弁と、該混合弁で混合された湯を供給する給湯管と、該給湯管が接続されると共に、減圧弁より上流側で給水管から分岐した混合栓給水管が接続され、給湯管から供給される湯と混合栓給水管から供給される上水を混合して給湯することができる混合栓と、前記給湯管に設けられ前記給湯管内の水流を検知する水流検知手段と、前記混合弁で混合後の給湯温度を検出する給湯温度検出手段と、前記給湯管または前記給湯管と連通する前記混合栓内の湯側流路に設けられ、給湯の流れと逆方向の流れを遮断する給湯逆止弁と、前記給湯温度検出手段で検出される給湯温度が給湯設定温度になるように混合弁の開度のフィードバック制御を行う貯湯制御部とを備えた貯湯式給湯装置において、前記水流検知手段が水流を検知すると、前記貯湯制御部は、前記混合弁のフィードバック制御を行い、前記フィードバック制御中に、前記給湯温度検出手段で検出される給湯温度が所定時間継続して前記給湯設定温度より低い場合は、エラー報知するものとした。
【０００９】
また、請求項２では、前記貯湯制御部は、前記フィードバック制御中に、前記給湯温度検出手段で検出される給湯温度が所定時間継続して前記給湯設定温度より低い場合は、前記混合弁を強制的に駆動させて前記混合弁の固着確認を行い、前記混合弁が固着していないと判断した場合は、前記給湯逆止弁が故障したと判定するものとした。
【００１０】
また、請求項３では、湯水を貯湯する貯湯タンクと、該貯湯タンク下部に接続され前記貯湯タンク内に上水を供給する給水管と、前記貯湯タンク上部に接続され高温の湯を取り出す出湯管と、前記給水管に設けられ給水圧を減圧する減圧弁と、該減圧弁より下流側で前記給水管から分岐した給水バイパス管と、前記出湯管からの高温の湯と前記給水バイパス管からの上水とを混合する混合弁と、該混合弁で混合された湯を供給する給湯管と、該給湯管が接続されると共に、減圧弁より上流側で給水管から分岐した混合栓給水管が接続され、給湯管から供給される湯と混合栓給水管から供給される上水を混合して給湯することができる混合栓と、前記給湯管に設けられ前記給湯管内の水流及び水流の方向を検知する逆流検知機能付水流検知手段と、前記給湯管または前記給湯管と連通する前記混合栓内の湯側流路に設けられ、給湯の流れと逆方向の流れを遮断する給湯逆止弁とを備えた貯湯式給湯装置において、前記逆流検知機能付水流検知手段が所定時間継続して逆流を検知した場合は、前記給湯逆止弁が故障したと判定し、エラー報知するものとした。
【００１１】
また、請求項４では、前記貯湯制御部が前記給湯逆止弁の故障と判定した場合は、前記混合弁の開度を湯側全開にするものとした。
【発明の効果】
【００１２】
この発明の請求項１によれば、水流検知手段が水流を検知すると、貯湯制御部は、混合弁のフィードバック制御を行い、フィードバック制御中に、給湯温度検出手段で検出される給湯温度が所定時間継続して給湯設定温度より低い場合は、給湯逆止弁が故障したと判定することで、給湯逆止弁の故障を容易に判定でき、エラー報知により、ユーザは給湯逆止弁が故障しているために湯が出ないことが分かり、修理依頼等の対応を迅速に行うことができるものである。
【００１３】
また、請求項２によれば、貯湯制御部は、フィードバック制御中に、給湯温度検出手段で検出される給湯温度が所定時間継続して給湯設定温度より低い場合は、混合弁を強制的に駆動させて混合弁の固着確認を行い、混合弁が固着していないと判断した場合は、給湯逆止弁が故障したと判定するので、混合弁の固着による故障と間違うことなく、給湯逆止弁の故障を確実に判定することができるものである。
【００１４】
また、請求項３によれば、逆流検知機能付水流検知手段が所定時間継続して逆流を検知した場合は、給湯逆止弁が故障したと判定することで、混合栓急閉に伴う水撃により発生するわずかな逆流現象を除いて、給湯逆止弁の故障を容易且つ確実に判定することができ、エラー報知により、ユーザは給湯逆止弁が故障しているために湯が出ないことが分かり、修理依頼等の対応を迅速に行うことができるものである。
【００１５】
また、請求項４によれば、貯湯制御部が給湯逆止弁の故障と判定した場合は、混合弁の開度を湯側全開とすることで、逆流してきた水の給水バイパス管側への回り込みをなくして貯湯タンク内から湯が押し出されるのを防止し、貯湯タンク内に貯湯された湯が無駄に排出されるのを抑制することができるものである。
【図面の簡単な説明】
【００１６】
【図１】この発明の貯湯式給湯装置の一実施形態の概略構成図。
【図２】同一実施形態の給湯逆止弁の故障判定の手順を示すフローチャート。
【図３】この発明の貯湯式給湯装置の他の実施形態の概略構成図。
【図４】同他の実施形態の給湯逆止弁の故障判定の手順を示すフローチャート。
【図５】従来の貯湯式給湯装置の概略構成図。
【発明を実施するための形態】
【００１７】
次に、本発明の一実施形態について図１に基づき説明する。
１は湯水を貯湯する貯湯タンク２を有した貯湯タンクユニット、３は貯湯タンク２内の湯水を加熱する加熱手段としてのヒートポンプユニット、４はこの貯湯式給湯装置を遠隔操作するリモコン、５は貯湯タンク２の下部に接続された加熱往き管６および貯湯タンク２の上部に接続された加熱戻り管７からなり、貯湯タンク２とヒートポンプユニット３とを湯水が循環するよう環状に接続する加熱循環回路である。
【００１８】
８は貯湯タンク２の下部に接続され貯湯タンク２に上水を供給する給水管、９は貯湯タンク２の上部に接続され貯湯タンク２上部から高温の湯を取り出す出湯管、１０は給水管８途中に設けられ給水圧を所定の圧力まで減圧する減圧弁、１１は給水管８途中に設けられ給水温度を検出する給水温度センサ、１２は出湯管９と連通し貯湯タンク２の上部に設けられ、貯湯タンク２内の過圧を逃がす過圧逃がし弁である。
【００１９】
１３は減圧弁１０より下流側で給水管８から分岐した給水バイパス管、１４は出湯管９からの高温の湯と給水バイパス管１３からの減圧後の上水とを給湯設定温度になるように内部の弁体（図示せず）の弁開度を調整して混合する混合弁、１５はその始端が混合弁１４に接続され混合弁１４で混合された湯を所定の給湯先（後述する混合栓）に供給する給湯管である。
【００２０】
前記給湯管１５の始端から終端までの間には、羽根車等の回転体の回転数を磁気変換素子で検出し電気信号を出力することで、給湯管１５内の給湯の流れ、つまり給湯管１５内の水流を検知すると共に、給湯流量をカウントする水流検知手段としての給湯流量センサ１６と、給湯の流れと逆方向の流れを遮断する給湯逆止弁１７と、混合弁１４で混合後の給湯温度を検出する給湯温度検出手段としての給湯温度センサ１８とが設けられているものである。なお、本実施形態の給湯流量センサ１６は、水流の流れ方向（正流または逆流）を判別する機能は持ち合わせていないものとする。
【００２１】
１９は給湯管１５の終端が接続されると共に、減圧弁１０より上流側で給水管８から分岐した混合栓給水管２０が接続され、給湯管１５から供給される湯と混合栓給水管２０から供給される減圧されていない上水を混合して給湯することができる混合栓としてのサーモスタット混合栓で、このサーモスタット混合栓１９は給湯温度が設定できるハンドル（図示せず）を備え、そのハンドルで温度を設定すると、湯温の変化に応じて内部のエレメントが伸縮してバルブが動き湯と水の量を調節して給湯を行うものであり、台所や洗面所や浴室等の適所に設けられたものである。
【００２２】
２１は貯湯タンク２の上下方向に複数個配置された貯湯温度センサ検出手段としての貯湯温度センサで、この貯湯温度センサ２１が検出する温度情報によって、貯湯タンク２内にどれだけの熱量が残っているかを検知し、そして、貯湯タンク２内の上下方向の温度分布を検知するものである。
【００２３】
２２は貯湯タンクユニット１内の各センサの入力を受け各アクチュエータの駆動を制御する貯湯制御部で、この貯湯制御部２２にリモコン４が無線または有線により接続されユーザが任意の給湯設定温度等を設定できるようにしているものである。
【００２４】
前記ヒートポンプユニット３は、冷媒を圧縮する圧縮機２３と、高温高圧の冷媒と貯湯タンク２内の湯水とを熱交換する水冷媒熱交換器２４と、水冷媒熱交換器２４通過後の冷媒を減圧させる電子膨張弁２５と、電子膨張弁２５からの低温低圧の冷媒を蒸発させる空気熱交換器２６とを冷媒配管で環状に接続したヒートポンプ回路２７と、加熱循環回路５に設けられ貯湯タンク２の湯水を循環させる加熱循環ポンプ２８とを備えており、ヒートポンプ回路２７内には冷媒として二酸化炭素が用いられて超臨界ヒートポンプサイクルを構成しているものである。また、２９はヒートポンプユニット３内の各センサの出力を受けて各アクチュエータの駆動を制御する加熱制御部で、貯湯制御部２２と通信可能に接続されているものである。
【００２５】
前記リモコン４は、混合弁１４により混合され給湯管１５からサーモスタット混合栓１９に供給される湯の設定温度を設定する給湯温度設定スイッチ３０と、給湯温度や貯湯式給湯装置の運転情報等を文字表示する表示部３１と、音声により貯湯式給湯装置の運転情報を知らせるスピーカ３２とを備えているものである。
【００２６】
次に、図１に示す貯湯式給湯装置の給湯逆止弁１７の故障判定について、図２のフローチャートを用いて説明する。
まず、貯湯制御部２２は、給湯流量センサ１６の検出する信号から給湯管１５内で水流があるか否かを判断し（ステップＳ１）、給湯流量センサ１６が水流を検知し、給湯流量センサ１６の検出する信号から給湯管１５内で水流があると判断すると、貯湯温度センサ２１の検出する温度から貯湯タンク２内に湯があることを確認した後、給水温度センサ１１の検出する給水温度または前日の学習給水温度と、貯湯温度センサ２１の検出する貯湯温度と、リモコン４の給湯温度設定スイッチ３０で設定された給湯設定温度とから求められる見込み開度に混合弁１４を制御する。（ステップＳ２）。
【００２７】
そして、貯湯制御部２２は、給湯温度センサ１８で検出した給湯管１５を流れる湯の給湯温度と、給湯温度設定スイッチ３０で設定された給湯設定温度とを比較し、給湯温度センサ１８で検出する給湯温度が給湯設定温度になるよう混合弁１４の開度のフィードバック制御を周期的に行い、フィードバック制御中に、給湯温度センサ１８で検出する給湯温度が所定時間、例えば２０秒継続して給湯温度設定スイッチ３０で設定した給湯設定温度より低い温度であるか否かを判断し（ステップＳ３）、給湯温度センサ１８で検出する給湯温度が所定時間継続して給湯設定温度より低い温度であると判断した場合は、混合弁１４の弁体を強制的に湯側全開方向と湯側全閉方向に一回ずつ駆動させて混合弁１４の固着確認を行い、その時の混合弁１４の弁体の位置を検出することで混合弁１４が固着していないかどうかを判断し（ステップＳ４）、混合弁１４が固着していないと判断すると、給湯逆止弁１７が故障し、混合栓給水管２０からサーモスタット混合栓１９に供給される上水が給湯管１５側に逆流していると判定し、給湯逆止弁１７が故障した旨の内容を、リモコン４の表示部３１にて文字表示またはスピーカ３２から音声にてエラー報知を行い（ステップＳ５）、混合弁１４の開度を湯側全開とするものである（ステップＳ６）。
【００２８】
なお、前記ステップＳ４で、混合弁１４が固着していると判断した場合は、混合弁１４が故障していると判定し、混合弁１４が故障した旨の内容を、リモコン４の表示部３１にて文字表示またはスピーカ３２から音声にてエラー報知を行うものである（ステップＳ７）。
【００２９】
以上説明した貯湯式給湯装置の給湯逆止弁１７の故障判定において、サーモスタット混合栓１９が開栓され給湯している最中、またはサーモスタット混合栓１９が閉栓中に給湯逆止弁１７の逆流防止機能が働かなくなった場合であっても、前記ステップＳ１で、給湯流量センサ１６が水流を検知し、貯湯制御部２２が、前記ステップＳ３で、混合弁１４の開度のフィードバック制御中に、給湯温度センサ１８で検出する給湯温度が所定時間継続して給湯設定温度より低いと判断したら、その後、前記ステップＳ４で、混合弁１４が固着していないかどうかを確認し、混合弁１４が固着していないと判断したら、給湯逆止弁１７が故障したと判定し、混合弁１４が固着していると判断したら、混合弁１４が故障したと判定するようにしたので、混合弁１４の固着による故障と間違うことなく、給湯逆止弁１７の故障であることを容易且つ確実に判定することができ、さらに、前記ステップＳ５で、給湯逆止弁１７の故障をエラー報知することにより、ユーザは給湯逆止弁１７が故障しているために湯が出ないことが分かり、修理依頼等の対応を迅速に行うことができるものである。
【００３０】
また、貯湯制御部２２は、給湯逆止弁１７が故障したと判定した場合には、前記ステップＳ５で、給湯逆止弁１７の故障をエラー報知するようにしたが、それと同時に、サーモスタット混合栓１９を閉じる、または給水元栓（図示せず）を閉じるように促す内容をリモコン４の表示部３１にて文字表示またはスピーカ３２から音声にて報知するようにしてもよく、それにより、サーモスタット混合栓１９からの上水の排出や、給湯管１５側に逆流した上水および貯湯タンク２内の湯が過圧逃がし弁１２を介して排出されるのを低減することができるものである。
【００３１】
また、貯湯制御部２２は、給湯逆止弁１７の故障と判定した場合に、前記ステップＳ６で、混合弁１４の開度を湯側全開とし、給湯管１５を出湯管９のみと連通させたことで、給湯管１５を逆流してきた上水の給水バイパス管１３側への回り込みをなくして、貯湯タンク２下部から逆流水が流入して貯湯タンク２内から湯が押し出されるのを防止し、貯湯タンク２内に貯湯された湯が過圧逃がし弁１２から無駄に排出されるを抑制することができるものである。
【００３２】
次に、本発明の他の実施形態について図３に基づき説明するが、この実施形態は先に説明した一実施形態と同一部分については同一符号を付し説明を一部省略し、相違する構成や動作について説明すると、３３は先に説明した一実施形態の給湯流量センサ１６の代わりに給湯管１５に設けられ、給湯管１５内の水流及び水流の方向（正流または逆流）を検知すると共に、給湯流量をカウントする逆流検知機能付水流検知手段としての逆流検知機能付給湯流量センサである。
【００３３】
前記逆流検知機能付給湯流量センサ３３は、羽根車等の回転体の回転を検出するセンサ部（図示せず）を２組設け、一方のセンサ部の出力信号が他方のセンサ部の出力信号よりも電気角で９０度進んでいる信号が得られるように一方のセンサ部を他方のセンサ部に対して回転方向に位置をずらして配置し、両センサ部の出力信号の位相を比較してどちらのセンサ部の出力信号の位相が進んでいるかにより正流か逆流かを判別する正逆判定部（図示せず）を内蔵しているものである。
【００３４】
次に、図３に示す貯湯式給湯装置の給湯逆止弁１７の故障判定について、図４のフローチャートを用いて説明する。
まず、貯湯制御部２２は、逆流検知機能付給湯流量センサ３３の検出する信号から給湯管１５内で逆流があるか否かを判断し（ステップＳ８）、給湯管１５内で逆流がある、すなわち、混合栓給水管２０からサーモスタット混合栓１９に供給される上水が給湯管１５側に逆流していると判断すると、逆流検知機能付給湯流量センサ３３の検出する信号から逆流検知機能付給湯流量センサ３３が所定時間、例えば２０秒継続して逆流を検知したか否かを判断し（ステップＳ９）、逆流検知機能付給湯流量センサ３３が所定時間継続して逆流を検知したと判断した場合は、貯湯温度センサ２１の検出する温度から貯湯タンク２内に湯があることを確認した後、給湯逆止弁１７が故障していると判定し、給湯逆止弁１７が故障した旨の内容を、リモコン４の表示部３１にて文字表示またはスピーカ３２から音声にてエラー報知を行い（ステップＳ１０）、混合弁１４の開度を湯側全開とするものである（ステップＳ１１）。
【００３５】
以上説明した貯湯式給湯装置の給湯逆止弁１７の故障判定において、サーモスタット混合栓１９が開栓され給湯している最中、またはサーモスタット混合栓１９が閉栓中に給湯逆止弁１７の逆流防止機能が働かなくなった場合であっても、前記ステップＳ９で、逆流検知機能付給湯流量センサ３３が所定時間継続して逆流を検知したと、貯湯制御部２２が判断した場合は、前記ステップＳ１０で、給湯逆止弁１７が故障したと判定するので、サーモスタット混合栓１９急閉に伴う水撃により発生するわずかな逆流現象を、給湯逆止弁１７の故障と間違うことがなく、それを除いて給湯逆止弁１７の故障を容易且つ確実に判定することができ、さらに、前記ステップＳ１０で、給湯逆止弁１７の故障をエラー報知することにより、ユーザは給湯逆止弁１７が故障しているために湯が出ないことが分かり、修理依頼等の対応を迅速に行うことができるものである。
【００３６】
また、貯湯制御部２２は、給湯逆止弁１７が故障したと判定した場合には、前記ステップＳ１０で、給湯逆止弁１７の故障をエラー報知するようにしたが、それと同時に、サーモスタット混合栓１９を閉じる、または給水元栓（図示せず）を閉じるように促す内容をリモコン４の表示部３１にて文字表示またはスピーカ３２から音声にて報知するようにしてもよく、それにより、サーモスタット混合栓１９からの上水の排出や、給湯管１５側に逆流した上水および貯湯タンク２内の湯が過圧逃がし弁１２を介して排出されるのを低減することができるものである。
【００３７】
また、貯湯制御部２２は、給湯逆止弁１７の故障と判定した場合に、前記ステップＳ１１で、混合弁１４の開度を湯側全開とし、給湯管１５を出湯管９のみと連通させたことで、給湯管１５を逆流してきた上水の給水バイパス管１３側への回り込みをなくして、貯湯タンク２下部から逆流水が流入して貯湯タンク２内から湯が押し出されるのを防止し、貯湯タンク２内に貯湯された湯が過圧逃がし弁１２から無駄に排出されるを抑制することができるものである。
【００３８】
なお、本発明は先に説明した一実施形態および他の実施形態に限定されることなく、給湯逆止弁１７は給湯管１５と連通するサーモスタット混合栓１９内の湯側流路に設けられていてもよく、その場合であっても同様に給湯逆止弁１７の故障判定を行うことができるものである。
【００３９】
また、先に説明した一実施形態および他の実施形態では、貯湯タンク２内の湯水を加熱する加熱手段としてヒートポンプユニット３を適用したが、加熱手段としては電気ヒータ、灯油やガスを燃料とする燃焼バーナであってもよいものである。
【００４０】
また、先に説明した一実施形態および他の実施形態では、混合栓としてサーモスタット混合栓１９を適用したが、混合栓としては湯と水を混合して給湯できるものであればよく、湯用と水用の２つのハンドルが付いた２ハンドル混合栓や湯用と水用を１つのレバーで兼用するシングルレバー混合栓でもよいものである。
【符号の説明】
【００４１】
２  貯湯タンク
８  給水管
９  出湯管
１０  減圧弁
１３  給水バイパス管
１４  混合弁
１５  給湯管
１６  給湯流量センサ（水流検知手段）
１７  給湯逆止弁
１８  給湯温度センサ（給湯温度検出手段）
１９  サーモスタット混合栓（混合栓）
２０  混合栓給水管
２２  貯湯制御部
【図１】
0005427131.tif 000002
【図２】
0005427131.tif 000003
【図３】
0005427131.tif 000004
【図４】
0005427131.tif 000005
【図５】
0005427131.tif 000006